【手続補正書】
【提出日】平成27年11月12日(2015.11.12)
【手続補正１】
【補正対象書類名】明細書
【補正対象項目名】００３４
【補正方法】変更
【補正の内容】
【００３４】
Bluetoothモジュール２４は、アンテナＡＮ１２を介して電子時計４０などの携帯型電子装置とBluetooth通信を行うための制御モジュールである。ＣＰＵ１１から送られた送信データは、ＵＡＲＴ２５でシリアル／パラレル変換などの処理が行われて、Bluetoothモジュール２４から携帯型電子装置に送信される。また、携帯型電子装置からBluetoothモジュール２４を用いて受信された受信データは、ＵＡＲＴ２５でパラレル／シリアル変換などの処理が行われて、ＣＰＵ１１へ出力される。
【手続補正２】
【補正対象書類名】明細書
【補正対象項目名】００４１
【補正方法】変更
【補正の内容】
【００４１】
電子時計４０（又はスマートフォン１０）の運動状態が変化した場合には、Bluetooth通信によりスマートフォン１０（又は電子時計４０）に変化した運動状態が通知される。また、必要に応じてスマートフォン１０（又は電子時計４０）に最新の運動状態に係る情報の送信を要求する。
【手続補正３】
【補正対象書類名】明細書
【補正対象項目名】００７３
【補正方法】変更
【補正の内容】
【００７３】
次いで、ＣＰＵ４１は、この取得されたスマートフォン１０の現在の運動状態が歩行状態であるか否かを判別する（ステップＳ４３２）。スマートフォン１０の運動状態が歩行状態であると判別された場合には（ステップＳ４３２で“ＹＥＳ”）、ＣＰＵ４１は、そのまま警告処理を終了する。歩行状態ではないと判別された場合には（ステップＳ４３２で“ＮＯ”）、ＣＰＵ４１は、ドライバ５７、５９、６１のうち一部、又は全てに制御信号を送信し、振動モータ５６、ピエゾ素子５８、ＬＥＤ６０のうち一部、又は、全てを動作させることで、ユーザにスマートフォン１０の置き忘れ報知動作を行う（ステップＳ４３３）。この置き忘れ報知動作は、所定時間で解除しても良いし、ユーザにより手動で停止操作が入力されるまで継続させても良い。置き忘れ報知動作が終了すると、ＣＰＵ４１は、警告処理を終了する。
【手続補正４】
【補正対象書類名】明細書
【補正対象項目名】００７８
【補正方法】変更
【補正の内容】
【００７８】
次いで、ＣＰＵ１１は、取得された電子時計４０の運動状態が歩行状態であるか否かを判別する（ステップＳ１４２）。歩行状態であると判別された場合には（ステップＳ１４２で“ＹＥＳ”）、ＣＰＵ１１は、そのまま警告処理を終了する。歩行状態ではないと判別された場合には（ステップＳ１４２で“ＮＯ”）、ＣＰＵ１１は、ドライバ１８、２８、コーデック２１のうち一部、又は全てに制御信号を送信し、表示操作部１７、スピーカ１９、振動モータ２７のうち一部、又は、全てに所定の動作を行わせることで、ユーザに電子時計４０の置き忘れ報知動作を行う（ステップＳ１４３）。置き忘れ報知動作が終了すると、ＣＰＵ１１は、警告処理を終了する。
【手続補正５】
【補正対象書類名】明細書
【補正対象項目名】００７９
【補正方法】変更
【補正の内容】
【００７９】
図９（ｂ）には、電子時計４０における運動状態送信処理を示す。
電子時計４０において、スマートフォン１０から運動状態の送信要求が受信されると、ＣＰＵ４１は、運動状態送信処理を起動し、加速度センサ５５の計測データに基づいて最新の運動状態の判定を行い、この運動状態をスマートフォン１０に送信する（ステップＳ４４１）。そして、ＣＰＵ４１は、運動状態送信処理を終了する。このとき、ＣＰＵ４１は、判定された運動状態が歩行状態では無い場合には、表示ドライバ５２、ドライバ５７、５９、６１のうち一部、又は、全てに制御信号を出力し、所定の報知動作を行わせることとしても良い。
【手続補正６】
【補正対象書類名】明細書
【補正対象項目名】００８６
【補正方法】変更
【補正の内容】
【００８６】
歩行状態ではないと判別された場合には（ステップＳ１５２で“ＮＯ”）、ＣＰＵ１１は、そのまま盗難警告処理を終了する。歩行状態であると判別された場合には（ステップＳ１５２で“ＹＥＳ”）、ＣＰＵ１１は、ドライバ１８、２８、コーデック２１のうち一部、又は、全てに制御信号を出力し、表示操作部１７、振動モータ２７、スピーカ１９のうち一部、又は、全てに警告動作を行わせる（ステップＳ１５５）。また、ＣＰＵ１１は、電子時計４０に警告信号を送信する（ステップＳ１５６）。そして、ＣＰＵ１１は、盗難警告処理を終了する。
【手続補正７】
【補正対象書類名】明細書
【補正対象項目名】００９４
【補正方法】変更
【補正の内容】
【００９４】
スマートフォン１０の運動状態が歩行状態ではないと判別された場合には（ステップＳ４６２で“ＮＯ”）、ＣＰＵ４１は、そのまま盗難警告処理を終了する。歩行状態であると判別された場合には（ステップＳ４６２で“ＹＥＳ”）、ＣＰＵ４１は、表示ドライバ５２、ドライバ５７、５９、６１のうち一部、又は、全てに制御信号を出力し、表示部５１、振動モータ５６、ピエゾ素子５８、ＬＥＤ６０のうち一部、又は、全てに警告動作を行わせる（ステップＳ４６５）。また、ＣＰＵ４１は、スマートフォン１０に警告信号を送信する（ステップＳ４６６）。そして、ＣＰＵ４１は、盗難警告処理を終了する。
【手続補正８】
【補正対象書類名】明細書
【補正対象項目名】０１０９
【補正方法】変更
【補正の内容】
【０１０９】
また、電子時計４０の運動状態が変化した場合に、スマートフォン１０の最新の運動状態を取得しておくことで、タイミング悪く一時的にスマートフォン１０との通信接続が切断されてしまった場合にも報知動作の要否を判断可能とすることが出来る。
【手続補正９】
【補正対象書類名】明細書
【補正対象項目名】０１１０
【補正方法】変更
【補正の内容】
【０１１０】
また、電子時計４０とスマートフォン１０の何れもが静止状態である場合には、不使用状態と判断することが出来るので、Bluetooth通信を切断することで不要な電力消費を抑えることが出来る。この場合には、イベント発生に伴う報知動作は、そのイベントが発生した側の電子時計４０（又はスマートフォン１０）のみで行われれば良いので、Bluetooth通信を介して他方、即ち、スマートフォン１０（又は電子時計４０）により報知を行わせる必要がない。
【手続補正１０】
【補正対象書類名】明細書
【補正対象項目名】０１１１
【補正方法】変更
【補正の内容】
【０１１１】
また、電子時計４０又はスマートフォン１０の何れか一方が静止状態から脱した場合には、その時点でBluetooth通信の接続を再開すればよいので、必要な場合における通信接続を適切に維持することが出来る。
【手続補正１１】
【補正対象書類名】明細書
【補正対象項目名】０１１２
【補正方法】変更
【補正の内容】
【０１１２】
また、Bluetooth通信の接続を再開する場合に、静止状態が維持されている側の携帯型電子装置がスマートフォン１０や携帯電話などの通信機器である場合には、静止状態を脱した側の携帯型電子装置に着信履歴が送信される構成であるので、当該通信機器を動作させなくても容易且つ確実に着信情報を知得することが出来る。
【手続補正１２】
【補正対象書類名】明細書
【補正対象項目名】０１１３
【補正方法】変更
【補正の内容】
【０１１３】
また、静止状態を脱した側の携帯型電子装置の表示部５１が取得された着信履歴を表示可能な構成である場合には、当該着信履歴も表示させることが出来るので、静止状態が維持されている携帯型電子装置を必要な場合にだけ動作させればよく、ユーザの手間が省ける。
【手続補正１３】
【補正対象書類名】明細書
【補正対象項目名】０１１４
【補正方法】変更
【補正の内容】
【０１１４】
また、電子時計４０がバンド４０１を備える腕時計であることで腕装着が可能となるので、両手が塞がっていてスマートフォン１０や携帯電話を保持できない状況や、スマートフォン１０や携帯電話を手に保持することが好まれないフォーマルな席上などでも必要な情報を確実に知得することが出来る。
【手続補正１４】
【補正対象書類名】明細書
【補正対象項目名】０１１５
【補正方法】変更
【補正の内容】
【０１１５】
また、ユーザ所望の複数のBluetooth通信に対応可能な携帯型電子装置と外部機器との間で上記の報知動作の設定のやり取りを行うことが出来るので、状況によって複数の電子時計４０を使い分けるユーザやスマートフォン１０及び携帯電話を併用するユーザに対して容易且つ的確に報知動作を行うことが出来る。従って、ユーザは煩雑な設定を行わずに必要な情報を適切なタイミングで知得することが出来る。
【手続補正１５】
【補正対象書類名】明細書
【補正対象項目名】０１１６
【補正方法】変更
【補正の内容】
【０１１６】
また、携帯型電子装置に電話や電子メールの着信などのイベントの発生に係る報知を行わせる外部機器では、当該携帯型電子装置における報知動作の可否に応じてイベントの発生通知の外部機器への送信有無を切り替えることが出来るので、報知されない不要なデータ送信を行う必要が無い。
【手続補正１６】
【補正対象書類名】明細書
【補正対象項目名】０１１７
【補正方法】変更
【補正の内容】
【０１１７】
また、上記の報知動作の制御に係るプログラムを所望の携帯型電子装置に搭載可能とすることで、ユーザ所望の携帯型電子装置と外部機器との間で柔軟に報知動作の制御を行うことが出来る。
【手続補正１７】
【補正対象書類名】明細書
【補正対象項目名】０１２０
【補正方法】変更
【補正の内容】
【０１２０】
また、上記実施の形態では、Bluetoothにより通信接続された携帯型電子装置と外部機器との二台の間での通信システム１を例に挙げて説明したが、三台以上の組み合わせに対しても適用することが出来る。
【手続補正１８】
【補正対象書類名】特許請求の範囲
【補正対象項目名】全文
【補正方法】変更
【補正の内容】
【特許請求の範囲】
【請求項１】
外部機器との間で近距離無線通信によりデータの送受信を行う無線通信手段と、
自機の所定の運動状態を判定するための物理量を計測する計測手段と、
所定の報知動作を実行する報知手段と、
前記計測手段による計測に基づく自機の運動状態、及び、前記無線通信手段により取得された前記外部機器の運動状態に基づいて、前記報知動作の実行可否及び／又は動作モードを設定する報知動作設定手段と、
前記報知動作設定手段の設定に基づいて、前記報知手段に前記報知動作を行わせる報知動作制御手段と
を備えることを特徴とする携帯型電子装置。
【請求項２】
前記報知動作を実行するための所定の条件が満たされているか否かを判別する動作条件判別手段を備え、
前記報知動作制御手段は、前記報知動作設定手段により前記報知動作の実行が許可され、且つ、前記動作条件判別手段により前記所定の条件が満たされていると判別されたときに前記報知動作を行わせる
ことを特徴とする請求項１記載の携帯型電子装置。
【請求項３】
前記報知動作設定手段は、複数の前記所定の条件の各々に対して別個に前記設定を行うことを特徴とする請求項２記載の携帯型電子装置。
【請求項４】
前記所定の条件には、所定のイベントが前記外部機器で発生して、当該発生を示す情報が前記外部機器から受信されることが含まれることを特徴とする請求項２又は３記載の携帯型電子装置。
【請求項５】
前記報知動作設定手段は、前記外部機器の運動状態と自機の運動状態とが異なる場合に、前記報知手段による報知動作を許可することを特徴とする請求項１〜４の何れか一項に記載の携帯型電子装置。
【請求項６】
前記報知動作設定手段は、前記報知手段による報知動作の出力レベルを変化させる設定を行うことを特徴とする請求項１〜５の何れか一項に記載の携帯型電子装置。
【請求項７】
前記報知動作設定手段は、自機の運動状態が変化した場合に、前記外部機器に最新の運動状態に係る情報の送信を要求し、取得された当該最新の運動状態と自機の運動状態とに基づいて報知動作に係る設定を更新することを特徴とする請求項１〜６の何れか一項に記載の携帯型電子装置。
【請求項８】
前記外部機器の運動状態と自機の運動状態とが何れも静止状態である場合には、前記外部機器との前記無線通信手段による通信を切断する通信切断手段と、
通信が切断された状態で自機が静止状態を脱した場合には、前記通信を再接続する通信再開手段と
を備えることを特徴とする請求項１〜７の何れか一項に記載の携帯型電子装置。
【請求項９】
前記報知動作を実行するための所定の条件が満たされているか否かを判別する動作条件判別手段と、
前記通信再開手段が前記外部機器との通信を再接続する際に、通信が切断されていた期間内に当該外部機器で生じた前記報知動作に係る所定のイベントの発生履歴の送信を要求して取得する履歴取得手段と、
を備え、
前記報知動作制御手段は、前記報知動作設定手段により前記報知動作の実行が許可され、且つ、前記動作条件判別手段により前記所定の条件が満たされていると判別された場合又は取得された前記発生履歴に前記所定のイベントの発生が含まれている場合の何れかの場合に、前記報知動作を行わせる
ことを特徴とする請求項８記載の携帯型電子装置。
【請求項１０】
前記履歴取得手段により取得された前記発生履歴に係る所定の情報を表示する表示手段を備えることを特徴とする請求項９記載の携帯型電子装置。
【請求項１１】
ユーザの腕に装着するための装着手段を備えることを特徴とする請求項１〜１０の何れか一項に記載の携帯型電子装置。
【請求項１２】
請求項１〜１１の何れか一項に記載の携帯型電子装置と外部機器を備え、前記携帯型電子装置と前記外部機器との間で前記近距離無線通信により送受信された互いの運動状態に基づいて前記携帯型電子装置と前記外部機器との各々における前記報知動作の設定及び制御を行う通信システム。
【請求項１３】
前記外部機器は、
電話音声データ及び／又は電子メールデータを送受信する外部通信手段と、
前記携帯型電子装置から着信報知動作を行うことを許可する情報が受信されたか否かを判別する着信情報送信判別手段と、
当該着信情報送信判別手段により前記着信報知動作を行うことを許可する情報が受信されたと判別された場合に、電話及び／又は電子メールが着信した際に前記携帯型電子装置に対して着信情報を送信する設定を行う着信情報送信設定手段と
を備えることを特徴とする請求項１２記載の通信システム。
【請求項１４】
外部機器との間で近距離無線通信によりデータの送受信を行う無線通信手段と、自機の所定の運動状態を判定するための物理量を計測する計測手段と、所定の報知動作を実行する報知手段と、を備える携帯型電子装置における報知動作制御方法であって、
前記計測手段による計測に基づく自機の運動状態、及び、前記無線通信手段により取得された前記外部機器の運動状態に基づいて、前記報知動作の実行可否及び／又は動作モードを設定する報知動作設定ステップ、
前記報知動作設定ステップにおける設定に基づいて、前記報知手段に前記報知動作を行わせる報知動作制御ステップ
を含むことを特徴とする報知動作制御方法。
【請求項１５】
外部機器との間で近距離無線通信によりデータの送受信を行う無線通信手段と、自機の所定の運動状態を判定するための物理量を計測する計測手段と、所定の報知動作を実行する報知手段と、を備える携帯型電子装置に用いられるコンピュータを、
前記計測手段による計測に基づく自機の運動状態、及び、前記無線通信手段により取得された前記外部機器の運動状態に基づいて、前記報知動作の実行可否及び／又は動作モードを設定する報知動作設定手段、
前記報知動作設定手段の設定に基づいて、前記報知手段に前記報知動作を行わせる報知動作制御手段
として機能させるためのプログラム。